(57)【特許請求の範囲】
【請求項１】
簡体字と、簡体字に対応づけた正字を収録する簡体字−正字テーブルとを格納する格納手段と、
手書き文字を含む検索条件を受け付ける検索条件受付手段と、
前記検索条件に基づいて、前記格納手段に格納された簡体字から簡体字候補を検索し、前記簡体字候補から使用者の選択を受け付けるとともに、前記簡体字−正字テーブルを参照して、前記選択された簡体字候補に対応する正字候補を検索し、前記正字候補から使用者の選択を受け付ける簡体字−正字変換手段と、
使用者から確定を受け付けて、前記選択された正字候補を出力する出力手段と、
１つの画面上に、前記検索条件にかかる手書き文字を表示する手書き入力エリアと、前記手書き文字に基づいて検索された複数の簡体字候補と、当該簡体字候補への使用者の選択とを表示する簡体字表示画面部と、前記選択された簡体字候補に基づいて検索された正字候補を表示する正字候補表示画面部と、前記正字候補から選択された正字を表示する正字表示画面部と、を並べて表示する画面表示手段と、
を備えたことを特徴とする簡体字から正字に変換表示する簡体字・正字変換装置。
【請求項２】
請求項１において、
前記手書き入力エリアの近傍に前記簡体字表示画面部を表示し、前記簡体字画面部の近傍に前記正字候補表示画面部を表示し、前記正字候補表示画面部の近傍でありかつ前記前記手書き入力エリアの近傍に前記正字表示画面部を表示することを特徴とする簡体字・正字変換装置。
【請求項３】
請求項１において、
前記正字候補表示画面部に表示されている正字の優先順位を表示する正字優先順位表示部を表示することを特徴とする簡体字・正字変換装置。
【請求項４】
請求項３において、
前記正字候補から正字が選択される前は、前記正字表示画面部に優先順位１位の正字を表示することを特徴とする簡体字・正字変換装置。
【請求項５】
簡体字と、簡体字に対応づけた正字を収録する簡体字−正字テーブルとを格納する格納手段と、検索条件受付手段と、簡体字−正字変換手段と、出力手段と、画面表示手段とを備えた簡体字・正字変換装置が行う簡体字・正字変換方法において、
検索条件受付手段が、手書き文字を含む検索条件を受け付ける検索条件受付工程と、
簡体字−正字変換手段が、前記検索条件に基づいて、格納手段に格納された簡体字から簡体字候補を検索し、前記簡体字候補から使用者の選択を受け付けるとともに、格納手段に格納され簡体字に対応づけた正字を収録する簡体字−正字テーブルを参照して、前記選択された簡体字候補に対応する正字候補を検索し、前記正字候補から使用者の選択を受け付ける簡体字−正字変換工程と、
出力手段が、使用者から確定を受け付けて、前記選択された正字候補を出力する出力工程と、
画面表示手段が、１つの画面上に、前記検索条件にかかる手書き文字を表示する手書き入力エリアと、前記手書き文字に基づいて検索された複数の簡体字候補と、当該簡体字候補への使用者の選択とを表示する簡体字表示画面部と、前記選択された簡体字候補に基づいて検索された正字候補を表示する正字候補表示画面部と、前記正字候補から選択された正字を表示する正字表示画面部と、を並べて表示する画面表示工程と、
を備えたことを特徴とする簡体字から正字に変換表示する簡体字・正字変換方法。
【請求項６】
請求項５において、
前記手書き入力エリアの近傍に前記簡体字表示画面部を表示し、前記簡体字画面部の近傍に前記正字候補表示画面部を表示し、前記正字候補表示画面部の近傍でありかつ前記前記手書き入力エリアの近傍に前記正字表示画面部を表示することを特徴とする簡体字・正字変換方法。
【請求項７】
請求項５において、
前記正字候補表示画面部に表示されている正字の優先順位を表示する正字優先順位表示部を表示することを特徴とする簡体字・正字変換方法。
【請求項８】
請求項７において、
前記正字候補から正字が選択される前は、前記正字表示画面部に優先順位１位の正字を表示することを特徴とする簡体字・正字変換方法。
【発明の詳細な説明】
【技術分野】
【０００１】
本発明は、外国人居住者に住民票を発行する時に便利な簡体字・正字変換装置及び当該装置を用いた簡体字・正字変換方法に関するものである。
【背景技術】
【０００２】
住基法及び入管法の法改正に伴い、外国人居住者に住民票を発行することとなった。
【０００３】
氏名に漢字を使用している外国人に対しては、日本国法務省が公表する正字化された文字で発行されることを要する。
【０００４】
特許文献１には、文字情報の検索条件を受け付け、検索条件の文字の形、部首、読み、画数、コード、番号のいずれかに対応した検索キーに変換し、検索キーを用いて、文字情報を検索することが記載されている。
【先行技術文献】
【特許文献】
【０００５】
【特許文献１】特開２００８−２６９２５５号公報
【発明の概要】
【発明が解決しようとする課題】
【０００６】
法務省より簡体字と正字の対応一覧は公表されているが、実際に外国人氏名に使用されている漢字文字と正字との突き合わせは各自治体で行う必要がある。
【０００７】
特許文献１には、検索キーを用いて、文字情報を検索することが記載されているが、これのみでは実際に外国人氏名に使用されている漢字文字と正字との突き合わせを行うことができない。
【０００８】
本発明は、かかる点に鑑みて正字化作業に対して有効で、短時間で正字化作業を実施することができ、もって自治体にとって作業負担を減らすことができるようにすることを目的とする。
【課題を解決するための手段】
【０００９】
本発明の簡体字から正字に変換表示する簡体字・正字変換装置は、簡体字と、簡体字に対応づけた正字を収録する簡体字−正字テーブルとを格納する格納手段と、手書き文字を含む検索条件を受け付ける検索条件受付手段と、前記検索条件に基づいて、前記格納手段に格納された簡体字から簡体字候補を検索し、前記簡体字候補から使用者の選択を受け付けるとともに、前記簡体字−正字テーブルを参照して、前記選択された簡体字候補に対応する正字候補を検索し、前記正字候補から使用者の選択を受け付ける簡体字−正字変換手段と、使用者から確定を受け付けて、前記選択された正字候補を出力する出力手段と、１つの画面上に、前記検索条件にかかる手書き文字を表示する手書き入力エリアと、前記手書き文字に基づいて検索された複数の簡体字候補と、当該簡体字候補への使用者の選択とを表示する簡体字表示画面部と、前記選択された簡体字候補に基づいて検索された正字候補を表示する正字候補表示画面部と、前記正字候補から選択された正字を表示する正字表示画面部と、を並べて表示する画面表示手段と、を備えたことを特徴としている。
【００１０】
上記発明は、また、前記手書き入力エリアの近傍に前記簡体字表示画面部を表示し、前記簡体字画面部の近傍に前記正字候補表示画面部を表示し、前記正字候補表示画面部の近傍でありかつ前記前記手書き入力エリアの近傍に前記正字表示画面部を表示することを特徴としている。
【００１１】
上記発明は、前記正字候補表示画面部に表示されている正字の優先順位を表示する正字優先順位表示部を表示することを特徴としている。
【００１２】
上記発明は、また、前記正字候補から正字が選択される前は、前記正字表示画面部に優先順位１位の正字を表示することを特徴としている。
【００１３】
また、本発明の簡体字から正字に変換表示する簡体字・正字変換方法は、簡体字と、簡体字に対応づけた正字を収録する簡体字−正字テーブルとを格納する格納手段と、検索条件受付手段と、簡体字−正字変換手段と、出力手段と、画面表示手段とを備えた簡体字・正字変換装置が行う簡体字・正字変換方法において、検索条件受付手段が、手書き文字を含む検索条件を受け付ける検索条件受付工程と、簡体字−正字変換手段が、前記検索条件に基づいて、格納手段に格納された簡体字から簡体字候補を検索し、前記簡体字候補から使用者の選択を受け付けるとともに、格納手段に格納され簡体字に対応づけた正字を収録する簡体字−正字テーブルを参照して、前記選択された簡体字候補に対応する正字候補を検索し、前記正字候補から使用者の選択を受け付ける簡体字−正字変換工程と、出力手段が、使用者から確定を受け付けて、前記選択された正字候補を出力する出力工程と、画面表示手段が、１つの画面上に、前記検索条件にかかる手書き文字を表示する手書き入力エリアと、前記手書き文字に基づいて検索された複数の簡体字候補と、当該簡体字候補への使用者の選択とを表示する簡体字表示画面部と、前記選択された簡体字候補に基づいて検索された正字候補を表示する正字候補表示画面部と、前記正字候補から選択された正字を表示する正字表示画面部と、を並べて表示する画面表示工程と、を備えたことを特徴としている。
【００１４】
上記発明は、また、前記手書き入力エリアの近傍に前記簡体字表示画面部を表示し、前記簡体字画面部の近傍に前記正字候補表示画面部を表示し、前記正字候補表示画面部の近傍でありかつ前記前記手書き入力エリアの近傍に前記正字表示画面部を表示することを特徴としている。
【００１５】
上記発明は、また、前記正字候補表示画面部に表示されている正字の優先順位を表示する正字優先順位表示部を表示することを特徴としている。
【００１６】
上記発明は、また、前記正字候補から正字が選択される前は、前記正字表示画面部に優先順位１位の正字を表示することを特徴としている。
【発明の効果】
【００１７】
本発明は、上述したように構成されているので、正字化作業に対して有効で、短時間で正字化作業を実施することができ、もって自治体にとって作業負担を減らすことができる。
【図面の簡単な説明】
【００１８】
【図１】本発明の実施例である簡体字・正字変換装置の構成を示すブロック図である。
【図２】図１の簡体字・正字変換装置に用いられるハードウェア構成の概略図である。
【図３】本発明の実施例である簡体字・正字変換装置で用いる簡体字−正字テーブルを示す図である。
【図４】図１の簡体字・正字変換装置における画面表示手段の表示例を示す図である。
【図５】図１の簡体字・正字変換装置における手書き文字入力の検索による正字出力の例を示す図である。
【図６】図１の簡体字・正字変換装置における手書き文字入力とピンイン入力を組合せた絞込検索による正字出力の例を示す図である。
【図７】本発明の実施例である簡体字・正字変換の手順を示すフローチャート図である。
【発明を実施するための形態】
【００１９】
以下、本発明の実施例を図面に基づいて説明する。尚、以下、正字はＪＩＳ  Ｘ  ０２１３：２００４（第１〜第４水準）ＪＩＳ  Ｘ  ０２１２（補助漢字）、非漢字及び法務省が指定している一部の外字を含むものとし、簡体字は上記範囲を含む正字、ＧＢ１８０３０：２０００及びＫＳ  Ｘ  １００１を含むものとする。
【実施例】
【００２０】
図１は、本発明の実施例である簡体字・正字変換装置の構成を示すブロック図である。
【００２１】
図１において、簡体字・正字変換装置１００は、入力手段１、検索条件受付手段２、格納手段３、簡体字−正字変換手段４、画面表示手段５及び出力手段６を備える。簡体字−正字変換手段４、画面表示手段５及び出力手段６は、通信手段１０によってそれぞれが接続される。
【００２２】
入力手段１は、簡体字情報入力がされるようになっている。この簡体字情報入力としては、手書き文字情報、ピンイン情報及び特殊文字番号情報が入力されるようになっている。以下、手書き文字情報、ピンイン情報及び特殊文字番号情報を簡体字情報と総称する。
【００２３】
入力手段１としては、例えば、パーソナルコンピュータに接続されるキーボードやマウスのような入力インターフェース等が用いられる。以下、パーソナルコンピュータをＰＣと略称し、インターフェースをＩ／Ｆと略称する。
【００２４】
手書き文字情報は、例えば、マウス等の入力Ｉ／Ｆによる直接描画動作により描画形成されて入力される文字、即ち手書き文字の情報を含んでいる。
【００２５】
ピンイン情報は、簡体字のピンインの読みがローマ字表記法にて記載されるアルファベット文字の情報を含む。例えば、“ｒｉ”、“ｂｅｎ”である。このピンイン情報は、上記キーボード等の入力Ｉ／Ｆによって入力される。
【００２６】
特殊文字番号情報は、予め定められている“Ｅ６９７Ａ５”や“６５Ｅ５”というように英数字で表現されるＵｎｉｃｏｄｅや外国人登録特殊文字番号等の情報を含む。
【００２７】
また、簡体字情報としては、検索する文字の部首、読み、番号、画数を入力することもできる。ここで、番号とは、簡体字に予め割り当てられて登録されている数値を示す。
【００２８】
尚、上記簡体字情報を入力できるものであれば、別の入力Ｉ／Ｆを用いてもよい。
【００２９】
上記入力された簡体字情報は、検索を行う簡体字の検索条件となる。検索条件受付手段２は、入力手段１より入力された手書き文字を含む入力された簡体字情報の検索条件を受け付け、この検索条件の文字の形、部首、読み、画数、コード、番号のいずれかに対応した検索キーに変換する。このように、検索条件受付手段２によって簡体字情報が持つ、検索に用いるための検索キーが設定される。
【００３０】
格納手段３は、簡体字３０及びこの簡体字に対応して日本国法務省が公表する、外国人居住者が住民票に登録可能な正字を対応づけて収録する簡体字−正字テーブル３１を格納する。
【００３１】
簡体字一正字変換手段４は、簡体字から正字への交換をおこなう。具体的には、上記入力された手書き文字を含む入力された簡体字情報が持つ検索キーから複数の簡体字候補を検索し、検索された複数の簡体字候補から選択された簡体字を特定し、簡体字−正字テーブルを参照して、選択されて特定された簡体字にそれぞれ対応する複数の正字を正字候補として検索し、この正字候補から選択された１つの正字を特定することで行う。
【００３２】
なお、入力された簡体字情報が持つ検索キーから複数の簡体字候補の検索は、格納手段３に格納された簡体字を検索することで行う。
【００３３】
検索された複数の簡体字候補からの簡体字の選択や検索された正字候補の選択は、例えば、マウス等の入力Ｉ／Ｆによって行われる。
【００３４】
また、簡体字一正字変換手段４は、上記簡体字候補、正字候補の画面表示指示を行う。
【００３５】
画面表示手段５は、１つの画面上に、手書き文字による簡体字情報を含む簡体字情報を表示する簡体字情報画面部５１、検索された複数の簡体字候補を表示し、かつ選択されることで特定した簡体字を表示する簡体字表示画面部５２、検索された正字候補を表示する正字候補表示画面部５３及び選択されて特定された正字を表示する正字表示画面部５４を表示する。
【００３６】
出力手段６によって、上記特定された１つの正字が出力される。この出力は、例えば、入力Ｉ／ＦによってＰＣのクリップボード領域に出力されることで行われる。
【００３７】
図２は、図１の簡体字・正字変換装置１００に用いられるハードウェア構成の概略図である。図２において、ハードウェア構成は、一般的なものであり、ＣＰＵ９１、入力装置９２（図１の入力手段１に該当する。）、画面表示装置（図１の画面表示手段５に該当する。）、ネットワークインターフェース９４、外部記憶装置９５（図１の格納手段３に該当する。）、出力装置９６（図１の出力手段６に該当する。）、ＲＡＭ９７及びＲＯＭ９８がバス９９（図１の通信手段１０に該当する。）を介して接続される。
【００３８】
図２において、ＣＰＵ９１は、データの入出力、データの送受信等を行うため、バス９９を介して接続された各種機器を制御する。バス９９を介して、バス９９に接続された機器間相互のアドレス信号、制御信号および各種のデータの転送が行われる。
【００３９】
図３は、本発明の実施例である簡体字・正字変換装置１００で用いる簡体字−正字テーブル３１を表で示す図である。簡体字−正字テーブル３１は、図３に示すように、簡体字３２に対応する形で、正字３３及び住基統一文字コード３４が併記されている。
【００４０】
簡体字３２は、文字コード（簡体字コード）と、この文字コードに対応する例示字体が記載される。
【００４１】
正字３３は、文字コード（正字コード）と、この文字コードに対応する字体、備考が記載される。この備考には、字体についての常用漢字か補助漢字か当の情報が記載される。
【００４２】
住基統一文字コード３４は、正字３３に対して、字形が一致する住基統一文字コード、正字のコードが一致する住基統一文字コード、その他特定の箇所の字形が一致する住基統一文字コード等、それぞれの条件に該当する住基統一文字コードが併記される。
【００４３】
これら、簡体字コード、正字コード及び住基統一文字コードは、“３４００”や“４Ｅ９４”というように英数字コードで表現される。
【００４４】
図４は、本発明の実施例である簡体字・正字変換装置における画面表示手段５の表示例を示す図である。
【００４５】
簡体字情報画面部５１には、属性入力エリア５５と手書き入力エリア５６がある。属性入力エリア５５はテキスト入力エリアで構成される。
【００４６】
属性入力エリア５５は、国籍選択エリア７１、読み入力エリア７２、部首情報入力エリア７３、画数範囲入力エリア７４及び文字番号入力エリア７５を有する。読み入力エリア７２に検索するピンイン情報を、若しくは部首情報入力エリア７３に検索する特殊文字番号情報の簡体字情報や文字の部首、読み、番号、画数が使用者によってキーボード等の入力Ｉ／Ｆを介して入力される。これら入力される情報が検索条件受付手段２によって検索キーとして変換される。
【００４７】
国籍選択エリア７１の選択により、読み入力エリア７２に入力する言語を国籍毎に入力できるようになる。なお、本実施例の読み入力エリア７２は４つあるが、一つの画面上で表示できる範囲において少なくしても多くしてもよい。
【００４８】
手書き入力エリア５６には、使用者のマウス等による入力Ｉ／Ｆによる描画作業によって、簡体字の手書き文字入力を行うことができる。なお、使用者がマウス等による入力Ｉ／Ｆにより全消去ボタン５７を押すことにより、入力した手書き文字を削除することができる。また、手書き入力属性選択エリア７６によって、入力する手書き文字の字体を太字、標準、細字と選択することができる。
【００４９】
また、上記入力した検索条件である手書き文字を含む簡体字情報は、使用者が手書検索ボタン５８又は属性検索ボタン５９を押すことにより、簡体字−正字変換手段４によって複数の簡体字候補が検索される。
【００５０】
この際、使用者が絞込検索ボタン６０を押すことで、簡体字−正字変換手段４によって上記した文字の形、部首、読み、画数、コード、番号のいずれかを組み合せた検索キーによる簡体字候補の検索、入力された手書き文字を含む２つ以上の簡体字情報によって簡体字候補を絞っての検索が行われる。使用者が条件消去ボタン６１を押すと、属性入力エリア５５に入力した情報が消去される。
【００５１】
簡体字表示画面部５２は検索された複数の簡体字候補を表示する。使用者がマウス等の入力Ｉ／Ｆによって表示された複数の簡体字候補からいくつか選択する。この使用者の選択により、簡体字−正字変換手段４が簡体字を特定する。これら特定された簡体字は、白抜き文字として表示される。また、この特定された簡体字について、表示領域７７においてＵｎｉｃｏｄｅが表示される。なお、検索結果の複数の簡体字候補は、手書き検索結果件数入力エリア７９への入力により、手書き入力による検索結果の表示数が設定できる。
【００５２】
正字候補表示画面部５３には、特定された簡体字に対応する複数の正字候補が表示される。なお、図示しないが使用者のマウス等のＩ／Ｆのクリック作業により一つの正字が選択される。この選択により、簡体字−正字変換手段４が一つの正字を特定する。この特定された正字は白抜き文字として表示される。
【００５３】
正字表示画面部５４には、選択されて特定された正字を表示する。また、この特定された正字は、表示領域７８においてＵｎｉｃｏｄｅが表示される。
【００５４】
正字優先順位表示部６５には、正字表示画面部５４に表示されている正字の優先順位が表示される。尚、正字表示画面部５４には、検索結果の表示時に、優先順位が１位の正字情報を自動表示するようになっている。
【００５５】
使用者が確定ボタン６１を押すことにより、出力手段６が上記特定された一つの正字をクリップボードにコピーされる等して出力する。
【００５６】
使用者が戻るボタン６３により、簡体字・正字変換装置１００の検索画面の前画面に戻ることができる。また、使用者が字形比較ボタン６４をおすことにより、手書き入力文字の字形比較機能を動作することができる。
【００５７】
図５は、図４の本発明の実施例である簡体字・正字変換装置における手書き文字入力の検索による正字出力の例を示す図である。この例は、手書き入力エリア５６にて、使用者がマウス等の入力Ｉ／Ｆにより手書き入力をして、手書検索ボタン５８をクリック動作により押すことで正字出力を行う例である。
【００５８】
この例の場合、検索条件受付手段２は、入力された手書き文字の検索条件を受け付け、対応した検索キーに変換する。次に、この検索キーによりから格納手段３に格納されている簡体字から複数の簡体字候補を検索する。次に、簡体字表示画面部５２は検索された複数の簡体字候補５２Ａを表示する。これら表示された複数の簡体字候補から、使用者はマウス等のＩ／Ｆによって簡体字を選択する。この選択によって簡体字が特定される。
【００５９】
次に、簡体字−正字変換手段４が、簡体字−正字テーブルを参照して、特定された簡体字にそれぞれ対応する複数の正字を正字候補として検索する。次に、正字候補表示画面部５３に、特定された簡体字に対応する複数の正字候補が表示される。
【００６０】
使用者は、この正字候補から１つの正字を選択する。この選択によって、簡体字−正字変換手段により正字が特定される。これにより、正字表示画面部５４に、特定された正字が表示される。使用者は、確定ボタンをクリックすることにより、出力手段６が特定された正字のクリップボード領域のコピーを行う。以上により、正字出力が完了する。
【００６１】
図６は、図４の本発明の実施例である簡体字・正字変換装置における手書き文字入力とピンイン入力を組合せた絞込検索による正字出力の例を示す図である。この例は、手書き入力エリア５６にて、使用者がマウス等の入力Ｉ／Ｆにより手書き入力をし、更に、属性入力エリア５５の読み入力エリア７２にて、使用者がキーボード等の入力Ｉ／Ｆにより文字（この例の場合はピンインである“ｍａ”）の簡体字情報の入力をして、絞込検索ボタン５８をクリック動作により押すことで正字出力を行う例である。
【００６２】
この例の場合、検索条件受付手段２は、入力された手書き文字及び読み入力エリア７２による簡体字情報の検索条件を受け付け、それぞれ対応した検索キーに変換する。次に、これら検索キーをアンド条件として、即ち絞り込み検索の条件として格納手段３に格納されている簡体字から複数の簡体字候補を検索する。次に、簡体字表示画面部５２は検索された複数の簡体字候補５２Ａを表示する。これら表示された複数の簡体字候補から、使用者はマウス等のＩ／Ｆによって簡体字を選択する。この選択によって簡体字が特定される。
【００６３】
次に、簡体字−正字変換手段４が、簡体字−正字テーブルを参照して、特定された簡体字にそれぞれ対応する複数の正字を正字候補として検索する。次に、正字候補表示画面部５３に、特定された簡体字に対応する複数の正字候補が表示される。
【００６４】
使用者は、この正字候補から１つの正字を選択する。この選択によって、簡体字−正字変換手段により正字が特定される。これにより、正字表示画面部５４に、特定された正字が表示される。使用者は、確定ボタンをクリックすることにより、出力手段６が特定された正字のクリップボード領域のコピーを行う。以上により、正字出力が完了する。
【００６５】
なお、この図６に示す絞込検索の例では、検索される簡体字候補が絞り込みにより減少することになり、簡体字表示画面部５２に表示される複数の簡体字候補５２Ａの文字数は図５に示すような検索と比較して減少する。従って、使用者は、この絞込検索をおこなうことによって、簡体字の選択が簡便となる。
【００６６】
以上のように、本発明の実施例である簡体字・正字変換装置１００は、漢字情報の検索条件を入力する簡体字情報画面部５１、簡体字候補の検索結果を表示する簡体字表示画面部５２、簡体字候補に対応する正字候補を表示する正字候補表示画面部５３そして特定された一つの正字を表示する正字表示画面部５４を１つの画面上に表示している。
【００６７】
このようにすることで、簡体字情報の検索条件を入力する画面と検索される簡体字候補とこの簡体字候補から選択した簡体字に対応する正字候補と正字候補から選択された正字が一つの画面上に表示されるので、使用者は、検索された複数の簡体字候補から簡体字の選択と、表示された正字候補から一つ正字の選択の２つの選択動作を一つの画面上で行うことができるので、使用者にとって、正字化作業に対して有効であり、短時間で正字化作業を実施することができ、もって自治体にとって作業負担を減らすことができる。
【００６８】
図７は、本発明の実施例である簡体字・正字変換の手順を示すフローチャート図である。次に、本実施例の簡体字・正字変換装置による簡体字・正字変換方法について図７を用いて以下に説明する。
【００６９】
まず、簡体字情報の入力を行う（Ｓ１）。この際、入力された簡体字情報が簡体字情報画面部５１に表示される（Ｓ１１）。
【００７０】
入力された簡体字情報の検索条件の受付をする（Ｓ２）。
【００７１】
検索条件の文字の形、部首、読み、画数、コード、番号、いずれかに対応した検索キーに変換する（Ｓ３）。
【００７２】
変換された検索キーから複数の漢字候補を検索する（Ｓ４）。この際、検索された簡体字候補が簡体字表示画面部５２表示される（Ｓ４１）。
【００７３】
検索された複数の簡体字候補から選択された簡体字を特定する（Ｓ５）。この際、特定された幾つかの簡体字が簡体字表示画面部５２表示される（Ｓ５１）。
【００７４】
特定された簡体字にそれぞれ対応する複数の正字を正字候補として検索する（Ｓ６）。この際、検索された正字候補が正字候補表示画面部５３に表示される（Ｓ６１）。
【００７５】
検索された正字候補から選択された一つの正字候補を特定する（Ｓ７）。この際、特定された一つの正字が正字表示画面部５４に表示される。
【００７６】
特定した一つの正字を出力する（Ｓ８）。
【００７７】
本発明の実施例の簡体字・正字変換装置及び簡体字・正字変換方法は、上記した文字の形、部首、読み、画数、コード、番号のいずれかを組み合せた検索キーによって簡体字候補を検索するようにしてもよい。
【００７８】
本発明の実施例の簡体字・正字変換装置及び簡体字・正字変換方法は、また、上記簡体字−正字変換手段が、入力された手書き文字を含む２つ以上の簡体字情報によって簡体字候補を絞って検索するようにしてもよい。
【００７９】
本発明の実施例の簡体字・正字変換装置及び簡体字・正字変換方法は、また、画面上に表示した確定ボタンにタッチすると、正字表示画面部に表示された正字がクリップボードにコピーされるようにしてもよい。
【００８０】
本発明の実施例の簡体字・正字変換装置及び簡体字・正字変換方法は、上述したように構成されているので、正字化作業に対して有効で、短時間で正字化作業を実施することができ、もって自治体にとって作業負担を減らすことができる。
【００８１】
なお、上記した本発明の実施例の簡体字・正字変換装置及び簡体字・正字変換方法は、前記簡体字一正字変換手段が、入力された手書き文字を含む入力された簡体字情報が持つ検索キーから複数の簡体字候補を検索し、検索された複数の簡体字候補から選択されたいくつかの簡体字を特定し、簡体字−正字テーブルを参照して、選択されて特定されたいくつかの簡体字にそれぞれ対応する複数の正字を正字候補として検索し、該正字候補から選択された１つの正字を特定し、前記画面表示手段が、１つの画面上に、手書き文字による簡体字情報を含む簡体字情報を表示する簡体字情報画面部、検索された複数の簡体字候補を表示し、かつ選択されることで特定したいくつかの簡体字を表示する簡体字表示画面部、検索された正字候補を表示する正字候補表示画面部及び選択されて特定された正字を表示する正字表示画面部を表示するようにしてもよい。
【００８２】
また、本発明の実施例の簡体字・正字変換装置及び簡体字・正字変換方法は、Ｗｅｂサーバ側よりネットワーク等の通信手段を介してローカル側のユーザー側の端末の画面表示手段によって提供してもよい。
【符号の説明】
【００８３】
１…入力手段、２…検索条件受付手段、３…格納手段、４…簡体字−正字変換手段、５…画面表示手段、５１…簡体字情報画面部、５２…簡体字表示画面部、５３…正字候補表示画面部、５４…正字表示画面部、１００…簡体字・正字変換装置。
【図１】
0005984375.tif 000002
【図２】
0005984375.tif 000003
【図３】
0005984375.tif 000004
【図４】
0005984375.tif 000005
【図５】
0005984375.tif 000006
【図６】
0005984375.tif 000007
【図７】
0005984375.tif 000008